(57)【特許請求の範囲】
【請求項１】
外面発光型の光ファイバーが織り込まれた織物であって、
経糸及び緯糸からなり、収納溝が形成された基部と、
前記収納溝内に配設された光ファイバーとからなり、
前記収納溝は、前記基部の表面側に開口し、且つ前記経糸と平行な方向に沿って形成されており、
前記緯糸は、前記光ファイバー上を跨ぐように織成され、
前記光ファイバーは、その外面の一部が露出するように織り込まれていることを特徴とする織物。
【請求項２】
前記基部には、少なくとも２列の凸条部が、該基部の表面側に突出するように、相互に間隔を空けて前記経糸と平行な方向に沿って形成されており、
前記一の凸条部とこれと隣接する凸条部との間が前記収納溝であることを特徴とする請求項１記載の織物。
【請求項３】
少なくとも、前記凸条部の織組織が綾組織の袋織であることを特徴とする請求項２記載の織物。
【請求項４】
前記収納溝の内壁の内、少なくとも該収納溝内に収納された光ファイバーの下方に位置する部分の色が、前記基部の他の部分の色と異なることを特徴とする請求項１乃至３記載のいずれかの織物。
【請求項５】
前記光ファイバー外面の被覆率は、２０％から５０％であることを特徴とする請求項１乃至４記載のいずれかの織物。
【請求項６】
前記織物は、テープ状であることを特徴とする請求項１乃至５記載のいずれかの織物。
【請求項７】
請求項１乃至６記載のいずれかの織物と、
光源を備えたモジュールと、
前記織物と前記モジュールとを接続するコネクタとからなり、
前記織物は、前記光ファイバーの一端面が前記光源と対向するように、前記コネクタを介して前記モジュールに接続され、
前記織物と前記モジュールとは、コネクタを介して接続分離自在に構成されていることを特徴とする発光装置。
【請求項８】
前記織物を複数備えるとともに、
前記モジュールは、複数の光源を備えており、
前記各織物は、それぞれの光ファイバーが前記複数の光源の内の１つと対向するように、前記コネクタを介して前記モジュールに接続され、
前記各織物と前記モジュールとは、コネクタを介して接続分離自在に構成されていることを特徴とする請求項７記載の発光装置。
【請求項９】
請求項７又は８記載の発光装置を備えた衣料服飾品。
【発明の詳細な説明】
【技術分野】
【０００１】
本発明は、外面発光型の光ファイバーを織り込んだ織物、この織物を備えた発光装置及びこの発光装置を備えた衣料服飾品に関し、特に、織り込まれた光ファイバーの位置ずれが生じ難い織物、発光装置及び衣料服飾品に関する。
【背景技術】
【０００２】
光ファイバーは、光を伝送させるコア層と光の漏出を防止するクラッド層とからなり、一端から入射させた光を他端に伝送させる性質を有しており、この性質を利用可能な様々な分野への応用が盛んに行われている。
【０００３】
近年、衣料品及び服飾品（以下、単に「衣料品等」という）に関する分野においては、従来にはない優れた美観を有するファッション性の高い衣料品等や、着用者の視認性を従来よりも高めることができる衣料品等を求める需要者が増大しており、そのような需要者の要望に応えるべく、発光による視覚的効果を利用することを目的として光ファイバーの性質を利用した製品の開発が行われており、例えば、光ファイバーを織り込んだ発光装飾織物（特開平６−３３３３８号公報）が提案されている。
【０００４】
この発光装飾織物は、光ファイバーを経糸の一部として使用するとともに、この光ファイバーよりも可撓性の大きいワイヤーを緯糸として使用して、これら経糸と緯糸とを平織りや綾織りで織成したものであり、これを上記のように衣料品等の素材として使用することで、通常の織物が使用された衣料品等とは異なる視覚的効果が発揮されるようになり、優れた美観を有したものとなる。
【先行技術文献】
【特許文献】
【０００５】
【特許文献１】特開平６−３３３３８号公報
【発明の概要】
【発明が解決しようとする課題】
【０００６】
しかしながら、上記従来の発光装飾織物においては、以下に述べるような問題がある。
【０００７】
即ち、上記発光装飾織物においては、図９に示すように、織物の性質上、織り込まれた光ファイバーＫの側方には必然的に隙間が形成される。そして、このように隙間が形成されていることにより、例えば、光ファイバーＫに対して外力が作用した際に、当該光ファイバーＫが緯糸Ｆと平行な方向（同図中の矢印方向）に移動した状態、即ち、位置ずれを起こした状態になることを避けられず、その結果、織物の外観が悪くなる、或いは緯糸Ｆや光ファイバーＫに異常な負荷が掛かって、これらが損傷するといった問題があり、発光による視覚的効果を十分に発揮することができない。特に、この発光装飾織物を衣料品等に使用する場合には、着用者の動きや、人・物との接触に起因する外力が作用し易いため、上記問題が極めて深刻なものとなる。
【０００８】
本発明は以上の実情に鑑みなされたものであり、光ファイバーの位置ずれを防止することができ、発光による視覚的効果を十分に発揮することができる織物、この織物を備えた発光装置及びこの発光装置を備えた衣料服飾品の提供を、その目的とする。
【課題を解決するための手段】
【０００９】
上記課題を解決するための本発明は、
外面発光型の光ファイバーが織り込まれた織物であって、
経糸及び緯糸からなり、収納溝が形成された基部と、
前記収納溝内に配設された光ファイバーとからなり、
前記収納溝は、前記基部の表面側に開口し、且つ前記経糸と平行な方向に沿って形成されており、
前記緯糸は、前記光ファイバー上を跨ぐように織成され、
前記光ファイバーは、その外面の一部が露出するように織り込まれている織物に係る。
【００１０】
尚、本発明における外面発光型の光ファイバーとは、一端面からコア層に入射した光がクアッド部を通して外面から漏出するようになっている光ファイバーであり、例えば、光ファイバーの外面を物理的又は化学的に処理して、当該外面の一部を除去する手法や、コア部に散乱物質を混入する手法などを用いて製造されるものであるが、光が外面から漏出するようになっている光ファイバーであれば、他の手法によって製造されたものも含まれる。
【００１１】
この織物によれば、織り込まれた光ファイバーは、収納溝内に配設された状態になっており、緯糸と平行な方向への移動が制限される、即ち、同方向への位置ずれが防止されるようになっているため、単に光ファイバー上を緯糸が跨いでいる従来の織物とは異なり、光ファイバーが位置ずれを起こして、外観が悪くなる、或いは、織物自体が破損するといった問題が生じるのを防止することができ、発光による視覚的効果を十分に発揮することができる。
【００１２】
また、上記織物においては、光ファイバーの外面の一部を露出させるようにしている。これにより、光ファイバーの一端面から光を入射させた際に、外面から漏出した光の多くが緯糸によって遮られ、十分な視覚的効果が発揮されないという問題が生じないようになっている。
【００１３】
尚、発光による視覚的効果を高めるために、光ファイバー上を跨ぐ緯糸を少なくし過ぎると、当該光ファイバーが収納溝から脱落するという問題が生じる可能性がある。したがって、緯糸は、発光による視覚的効果が十分に発揮されつつ、光ファイバーの脱落が防止されるように光ファイバー上を跨がせるのが好ましい。
【００１４】
具体的には、光ファイバー外面の被覆率が２０％から５０％となるようにすることが好ましい。尚、光ファイバー外面の被覆率とは、緯糸が跨いでいない状態での光ファイバー外面全体の面積に対する、緯糸が跨いでいる部分の面積の割合である。
【００１５】
更に、上記織物によれば、光ファイバーの一端面から光を入射させるだけで光ファイバー全体を発光させることができるため、単一の光源で広い発光領域を確保することができる。
【００１６】
また、上記織物において、前記収納溝の内壁の内、少なくともこの収納溝内に配設された光ファイバーの下方に位置する部分の色を、基部の他の部分の色と異なるものにすることが好ましい。
【００１７】
このようにすれば、前記下方に位置する部分の色が光ファイバー越しに視認されるため、光ファイバーの外面が発光していない場合であっても、当該光ファイバーが配設された部分を他の部分と比較して強調させることができる。また、光ファイバーの外面が発光した際には、観察者によって視認される光の色が、前記下方に位置する部分の色を反映した色となるため、同部がより強調され、結果、両部分が同色である場合よりも極めて優れた視覚的効果を発揮するものとなる。
【００１８】
また、上記織物において、前記基部は、少なくとも２列の凸条部が、該基部の表面側に突出するように、相互に間隔を空けて前記経糸と平行な方向に沿って形成されており、前記一の凸条部とこれと隣接する凸条部との間を前記収納溝とすることができる。尚、このような織物において、凸条部は綾組織の袋織で織成することができる。
【００１９】
このようにしても、相互に隣接する２つの凸条部間（収納溝）に光ファイバーを配設した状態にすることができるため、光ファイバーの移動を制限して、当該光ファイバーの位置ずれを防止することができる。
【００２０】
尚、上記織物の形状は、衣料品等への縫い付け時における利便性などを考慮してテープ状であることが好ましい。
【００２１】
そして、上記織物は、
当該織物と、
光源を備えたモジュールと、
前記織物と前記モジュールとを接続するコネクタとからなり、
前記織物は、前記光ファイバーの一端面が前記光源と対向するように、前記コネクタを介して前記モジュールに接続され、
前記織物と前記モジュールとは、前記コネクタを介して接続分離自在に構成されている発光装置に好適に用いられる。
【００２２】
この発光装置によれば、光ファイバーの一端面と光源とが対向するように、織物とモジュールとが接続されているため、光源から照射された光が光ファイバーの一端面から入射し、当該入射した光が外面から漏出して光ファイバー全体が発光し、これにより、発光による視覚的効果が発揮される。
【００２３】
また、上記発光装置は、織物とモジュールとがコネクタを介して接続分離自在に構成されているため、モジュールを衣料服飾品から取り外すことにより、衣料服飾品の洗浄を安全且つ容易に行うことができる。
【００２４】
また、上記発光装置は、前記織物を複数備えるとともに、前記モジュールは複数の光源を備えており、前記各織物は、それぞれの光ファイバーが前記複数の光源の内の１つと対向するように、前記コネクタを介して前記モジュールに接続され、前記各織物と前記モジュールとが前記コネクタを介して接続分離自在に構成されていても良い。この場合、１つの発光装置が、複数の異なる光源からそれぞれ光が照射される光ファイバーを備えた構成となるため、例えば、各光ファイバーに照射する光の色を変えることによって極めて優れた美観を持たせることが可能となり、また、各ファイバーに照射する光の色の組み合わせる変えることにより、極めて多数のバリエーションを持たせることができる。
【００２５】
また、本発明は、上記発光装置を備えた衣料服飾品に係る。
【００２６】
この衣料服飾品においては、上記光ファイバーの位置ずれが防止された織物を使用しているため、着用者の動きや人・物との接触による外力が作用したとしても、光ファイバーの位置ずれに起因する外観の悪化が防止され、また、織物自体の破損等も防止されるようになっており、発光による視覚的効果を十分に発揮することができる。
【００２７】
尚、衣料服飾品に発光装置を設ける方法としては、例えば、前記織物を衣料服飾品の素材として利用する方法や既存の衣料服飾品に織物を縫い付ける方法を例示することができるが、これに限られるものではなく、他の方法によって衣料服飾品に発光装置を取り付けるようにしても良い。
【００２８】
尚、本発明における衣料服飾品とは、シャツやパンツなどの他に帽子や鞄、靴、リストバンドなどを含む概念である。
【発明の効果】
【００２９】
以上のように、本発明に係る織物によれば、緯糸と平行な方向な方向への光ファイバーの位置ずれを防止することができ、当該光ファイバーの位置ずれに起因した問題の発生を防止することができ、極めて優れた視覚的効果を発揮することができる。また、この織物を備えた発光装置、及びこの発光装置を備えた衣料服飾品においても、上記と同様に、緯糸と平行な方向への光ファイバーの位置ずれが防止され、外観の悪化や織物の破損等を防止することができ、優れた視覚的効果が発揮される。
【図面の簡単な説明】
【００３０】
【図１】一実施形態に係る織物の概略構成を模式的に示した斜視図である。
【図２】（ａ）は一実施形態に係る織物の概略構成を模式的に示した上面図であり、（ｂ）は（ａ）におけるＡ−Ａ間の断面図である。
【図３】一実施形態に係る織物の織組織を示した図である。
【図４】一実施形態に係る発光装置の概略構成を示した上面図である。
【図５】（ａ）はモジュールを示した上面図であり、（ｂ）は（ａ）におけるＢ方向から見た図であり、（ｃ）は（ａ）におけるＣ方向から見た図である。
【図６】（ａ）はコネクタを示した上面図であり、（ｂ）は（ａ）におけるＤ方向から見た図である。
【図７】発光装置を取り付けたベストを示した背面図である。
【図８】他の実施形態に係る織物の概略構成を模式的に示した斜視図である。
【図９】従来の発光装飾織物における問題点を説明するための図である。
【発明を実施するための形態】
【００３１】
以下、本発明の具体的な実施の形態について、図面を参照して説明する。
【００３２】
［織物］
図１及び図２は、本発明の一実施形態に係る織物１の概略構成を模式的に示した図であり、図３は、織物１の織組織を示した図である。図１及び図２は織物１の一部を示したものであるが、当該織物１は、テープ状、即ち、細幅且つ長尺の織物である。
【００３３】
この織物１は、収納溝４を有する基部２と、前記収納溝４内に固定された外面発光型の光ファイバー５とから構成されており、前記基部２には、当該基部２の表面から突出するように、織物１の長手方向（経糸と平行な方向）に沿って２本の凸条部３，３が並設され、当該凸条部３，３の間が収納溝４として機能するようになっている。尚、以下の説明においては、前記基部２における前記２つの凸条部３，３間の部分を第１基部２ａ、第１基部２ａを除く他の部分を第２基部２ｂと称する。また、前記第１基部２ａは、前記光ファイバー５の下方に位置する部分、即ち、収納溝４の底部に相当する。また、
【００３４】
そして、この織物１においては、緯糸７及び第１基部２ａを構成する経糸８ａに同色の糸を使用し、第２基部２ｂ及び２つの凸条部３，３をそれぞれ構成する経糸８ｂに緯糸７と異なる色の糸を使用するようにしており、図３に示すように、第１基部２ａの織組織を綾織、第２基部２ｂの織組織をグログラン（畦織）、２つの凸条部３，３の織組織を綾組織の袋織としている。尚、図３においては、光ファイバー５の下方に位置する第１基部２ａについては、その一部分のみを示した。
【００３５】
前記第１基部２ａは、同色の緯糸７及び経糸８ａを使用した綾織によって織成されており、当該第１基部２ａの表裏面には、緯糸７及び経糸８ａに使用した色のみが現れるようになっている。
【００３６】
また、前記第２基部２ｂは、色の異なる緯糸７及び経糸８ｂを使用した畦織によって織成されており、当該第２基部２ｂの表裏面には、畦織の特性上、経糸８ｂに使用した色のみが現れるようになっている。
【００３７】
また、前記２つの凸条部３，３は、その一部分を基部２の表面よりも突出させるために綾組織の袋織によって織成している。また、凸条部３，３には、色の異なる緯糸７及び経糸８ｂを使用しており、当該凸条部３，３の表裏面には、主として経糸８ｂに使用した色が現れるようになっている。
【００３８】
したがって、この織物１においては、第１基部２ａの表裏面に現れる色と、第２基部２ｂ及び２つの凸条部３，３の表裏面に現れる色とが異なる色となるようになっており、前記第１基部２ａの色が光ファイバー５を透過して観察者に観測されるようになっている。
【００３９】
前記光ファイバー５は、上述したように、前記収納溝４内に配設され、前記長手方向において所定の間隔を空けて前記緯糸７が跨いだ状態で経糸として織り込まれており、これにより、収納溝４内に固定され、その脱落が防止されるようになっている。尚、光ファイバー５上を跨ぐ緯糸７が多すぎると、緯糸７によって光ファイバー５の外面から発せられる光が遮断され、十分な視覚的効果が得られなくなる一方、少なすぎると、光ファイバー５が脱落し易くなる。したがって、光ファイバー５外面の被覆率が２０％から５０％程度となるように、光ファイバー５上を緯糸７が跨いだ状態にして、十分な視覚的効果を発揮させつつ、光ファイバー５の脱落を防止できるようにすることが好ましい。
【００４０】
尚、本例においては、緯糸７及び経糸８ａ，８ｂとして、ポリエステル糸やナイロン糸、レーヨン糸等のフィラメント糸の他、合成繊維及び天然繊維の紡績糸などを例示することができる。
【００４１】
また、本例の織物１は、ニードル織機やニードルジャガード織機、シャットル織機などを使用して製織することができる。
【００４２】
そして、この織物１においては、光ファイバー５が収納部４、言い換えれば、２列の凸条部３，３の間に配設され、固定された状態となっているため、緯糸７と平行な方向への移動が制限されており、同方向への位置ずれが生じないようになっており、これにより、外観の悪化や織物自体の破損等が防止されるようになっている。
【００４３】
［織物を備えた発光装置］
次に、上記織物１を備えた発光装置１０の構成について、図４〜図６を参照して説明する。
【００４４】
図４に示すように、本例の発光装置１０は、モジュール１１と、このモジュール１１が着脱自在に接続されるコネクタ１６と、このコネクタ１６に取り付けられた３枚の織物１とからなる。
【００４５】
図５に示すように、前記モジュール１１は、筐体１２と、この筐体１２に内蔵された充電式のバッテリ（図示せず）と、前記筐体１２における４つの側面の内、隣り合う３つの側面に取り付けられ、外方に向けて光を照射するＬＥＤライト１３とからなり、前記ＬＥＤライト１３には、前記バッテリから電力が供給されるようになっている。また、筐体１２における４つの側面の内、残りの１つには、マイクロＵＳＢ（ユニバーサル・シリアル・バス）プラグが接続されるソケット１４が設けられており、マイクロＵＳＢプラグをソケット１４に差し込んで、所謂ＵＳＢ給電を用いることより、前記バッテリを充電できるようになっている。また、モジュール１１の上面には、ＬＥＤライト用のＯＮ／ＯＦＦスイッチ１５が設けられている。
【００４６】
尚、前記各ＬＥＤライト１３は、その全てが同じ色の光を照射するものであっても良いが、少なくとも１つが他とは異なる色の光を照射するようにした場合には、多様なバリエーションを持たせることができる。
【００４７】
前記コネクタ１６は、上面視コの字状の２枚の板部材１７，１７を張り合わせたものであり、中心部に前記モジュール１１を受容するための空間１８が形成されるとともに、当該空間１８と外方とを連通する切欠き部１９が形成されている。
【００４８】
そして、前記３枚の織物１は、その各一端部が前記２枚の板部材１７，１７に挟持された状態で、前記コネクタ１６における３つの側面にそれぞれ取り付けられており、前記モジュール１１がコネクタ１６に接続された状態において、モジュール１１の各ＬＥＤライト１３と各織物１の光ファイバー５とが対向するようになっている。
【００４９】
以上のように構成された発光装置１によれば、ＬＥＤライト１３から照射された光が光ファイバー５の一端面から入射し、この入射した光が当該光ファイバー５の外面から漏出して、光ファイバー５全体が発光する。
【００５０】
［発光装置を設けた衣料服飾品］
次に、前記発光装置１０を設けた衣料服飾品について説明するが、以下においては、ベスト２０に発光装置１０を設けた態様を例にとって説明する。
【００５１】
図７に示すように、本例のベスト２０は、発光装置１０における各織物１が、光ファイバー５が背面に現れるように縫い付けられており、これにより、発光装置１０がベスト２０に取り付けられている。
【００５２】
尚、各織物１を縫い付ける位置は特に限定されるものではなく、ベスト２０の前面や腰の周囲に光ファイバー５が現れるように縫い付けるようにしても良く、美観を考慮して取付位置を決定すれば良い。
【００５３】
この発光装置１０を備えたベスト２０によれば、発光装置１０を作動させて光ファイバー５全体を発光させることにより、発光による優れた視覚的効果が発揮されるため、例えば、夜間のランニング時に当該ベスト２０をランナーが着用することによって、反射板を取り付けたウェア等を着用する場合よりも自動車の運転手からの視認性が向上し、より安全にランニングを行うことができ、また、優れた美観を持たせることもできる。
【００５４】
また、上述したように、前記織物１の光ファイバー５は、収納溝４内で固定され、位置ずれが防止されるようになっているため、ベスト２０を着用して激しい運動を行い、着用者の動きや人・物との接触に起因する外力が作用したとしても位置ずれが非常に生じ難く、位置ずれに起因した問題の発生を防止して発光による視覚的効果を発揮し続けることができる。
【００５５】
更に、織物１において、第１基部２ａの表面に現れる色と第２基部２ｂ及び凸条部３，３に現れる色とを異なる色にしているため、光ファイバー５を発光させていない場合でも、光ファイバー５が位置する部分を他の部分よりも強調することができ、また、光ファイバー５全体を発光させた場合には、光ファイバー５が位置する部分がより強調され、優れた視覚的効果が発揮される。
【００５６】
更に、光ファイバー５全体が発光する、言い換えれば、発光領域がライン状となっているため、例えば、単一の光源を設けたものと比較すると、発光領域が広く、視認性が高まっている。また、発光領域を広くするために複数の光源を設けたものと比較すると、電力消費量や部品点数を少なくすることができる点で非常に優れている。
【００５７】
以上、本発明の実施形態について説明したが、本発明が採り得る態様は何らこれらに限定されるものではない。
【００５８】
例えば、上例の織物１は、２列の凸条部３，３を形成し、この２列の凸条部３，３間を収納溝４としたが、例えば、図８に示すように、基部１’表面に開口するように収納溝４’を形成するようにしても良い。このような織物は、例えば、収納溝４の底部、即ち、織物１における第１基部２ａに相当する部分２ａ’の織組織を綾組織の袋織とし、織物１における第２基部２ｂに相当する部分２ｂ’の織組織を、同部に厚みを持たせるために、綾組織の袋織として織成することで得られる。
【００５９】
また、上例の織物１においては、第１基部２ａの表面に現れる色と第２基部２ｂ及び凸条部３，３の表面に現れる色とが異なる色となるようにしているが、これに限られるものではなく、第１基部２ａ、第２基部２ｂ及び凸条部３，３の表面に同じ色が現れるようにしても良い。
【００６０】
また、上例では、第１基部２ａの織組織を綾織、第２基部２ｂの織組織を畦織、凸条部３，３の織組織を綾組織の袋織としているが、これに限られるものではなく、他の織組織で織成するようにしても良い。
【００６１】
また、上例においては、織物１がテープ状である態様を示したが、これに限られるものではない。
【００６２】
更に、上例の発光装置１０においては、３枚の織物１及び３つのＬＥＤライト１３を設けるようにしたが、織物１及びＬＥＤライト１３の数はこれに限定されるものではなく、それ以上又はそれ以下であっても良い。また、消費電力や耐久性を考慮して、光源にＬＥＤライトを使用するようにしているが、これに限られるものではなく、レーザなどの他の光源を使用するようにしても良い。
【００６３】
また、上例の発光装置１０では、１つのコネクタに３枚の織物１を取り付けるようにしているが、例えば、織物１の一端部にそれぞれコネクタを取り付け、これらのコネクタを別々にモジュールと接続するようにしても良く、光ファイバー５の一端面とＬＥＤライト１３とが対向した状態となれば、その接続形態は特に限定されるべきものではない。
【００６４】
また、上例においては、衣料服飾品をベストとした態様を示したが、衣料服飾品としては、シャツやジャケット、パンツの他に、帽子、鞄、靴、手袋、リストバンドなどを例示することができる。
【００６５】
また、上例の発光装置１０は、衣料服飾品以外にも、ペットのリードなどに設けることができ、また、インテリア装飾用途や車両内装飾用途などに幅広く用いることができる。
【符号の説明】
【００６６】
１      織物
２      基部
２ａ    第１基部
２ｂ    第２基部
３      凸条部
４      収納溝
５      光ファイバー
７      緯糸
８ａ，８ｂ  経糸
１０    発光装置
１１    モジュール
１３    ＬＥＤライト
１６    コネクタ
２０    ベスト
【図１】
0006621311.tif 000002
【図２】
0006621311.tif 000003
【図３】
0006621311.tif 000004
【図４】
0006621311.tif 000005
【図５】
0006621311.tif 000006
【図６】
0006621311.tif 000007
【図７】
0006621311.tif 000008
【図８】
0006621311.tif 000009
【図９】
0006621311.tif 000010